(57)【要約】      （修正有）【課題】屋根の施工性を向上することのできる、構造物の施工方法を提供する。【解決手段】構造物の施工方法は、競技場１０完成後に土圧を負担しない杭２０間に、屋根３０を架設する屋根構築工程と、支持体である杭２０で屋根３０を支持しながら屋根３０の下の土砂を取り除いて、内部空間１４を形成する内部空間形成工程と、を備える。【選択図】図１
2015218442.tif 000002
【特許請求の範囲】
【請求項１】
構造物完成後に土圧を負担しない支持体間に屋根を架設する屋根構築工程と、
前記支持体で前記屋根を支持しながら該屋根の下の土砂を取り除いて内部空間を形成する内部空間形成工程と、
を備える構造物の施工方法。
【請求項２】
前記屋根構築工程において、前記支持体としての基礎間に前記屋根を架設し、
前記内部空間形成工程において、前記屋根の下の地盤を掘り下げて前記内部空間を形成する、
請求項１の構造物の施工方法。
【請求項３】
傾斜地面に沿って屋根を構築する屋根構築工程と、
前記屋根の傾斜方向の上端側を回転中心として該屋根の傾斜方向の下端側を上方へ移動させ、該下端側を支持体で支持する屋根建て起こし工程と、
前記支持体で前記屋根の下端側を支持しながら該屋根の下の地盤を掘り下げて内部空間を形成する内部空間形成工程と、
を備える構造物の施工方法。
【発明の詳細な説明】
【技術分野】
【０００１】
本発明は、構造物の施工方法に関する。
【背景技術】
【０００２】
地下に競技フィールドを形成する競技場の施工方法（例えば、特許文献１参照）や、地下に複数層からなる地下構造物を形成する地下構造物の施工方法が知られている（例えば、特許文献２参照）。
【先行技術文献】
【特許文献】
【０００３】
【特許文献１】特開平１０−１８６２０号公報
【特許文献２】特開平４−４７０３２号公報
【発明の概要】
【発明が解決しようとする課題】
【０００４】
ところで、構造物の屋根は、一般に柱やベント（仮設支柱）上の高所で施工されるため、その施工に手間がかかる可能性がある。
【０００５】
本発明は、上記の事実を考慮し、屋根の施工性を向上することを目的とする。
【課題を解決するための手段】
【０００６】
請求項１に記載の構造物の施工方法は、構造物完成後に土圧を負担しない支持体間に屋根を架設する屋根構築工程と、前記支持体で前記屋根を支持しながら該屋根の下の土砂を取り除いて内部空間を形成する内部空間形成工程と、を備える。
【０００７】
請求項１に係る構造物の施工方法によれば、屋根構築工程において、構造物完成後に土圧を負担しない支持体間に屋根を架設する。次に、内部空間形成工程において、支持体で屋根を支持しながら屋根の下の土砂を取り除いて内部空間を形成する。
【０００８】
ここで、屋根の下の土砂を取り除かない場合は、内部空間の必要高さに応じて、屋根を支持する支持体の支持高さが高くなる。
【０００９】
これに対して本発明では、屋根の下の土砂を取り除いて内部空間を形成するため、屋根を支持する支持体の支持高さを低くすることができる。これにより、低所で屋根を施工することができるため、屋根の施工性が向上する。
【００１０】
また、屋根を構築した後に、屋根の下の土砂を取り除いて内部空間を形成する。したがって、天候（例えば、雨、雪、強風等）に左右されずに、内部空間を形成することができる。
【００１１】
さらに、屋根を支持する支持体は、構造物完成後に土圧を負担しない。したがって、例えば、構造物完成後に土圧を負担する土留壁等で屋根を支持する場合と比較して、支持体の施工性が向上する。
【００１２】
請求項２に記載の構造物の施工方法は、請求項１の構造物の施工方法において、前記屋根構築工程において、前記支持体としての基礎間に前記屋根を架設し、前記内部空間形成工程において、前記屋根の下の地盤を掘り下げて前記内部空間を形成する。
【００１３】
請求項２に係る構造物の施工方法によれば、屋根構築工程において、構造物完成後に土圧を負担しない基礎間に屋根を架設する。そのため、例えば、屋根を地組みすることができる。したがって、屋根の施工性が向上する。
【００１４】
次に、内部空間形成工程において、基礎で屋根を支持しながら当該屋根の下の地盤を掘り下げて内部空間を形成する。つまり、本発明では、地盤を掘り下げることにより内部空間の少なくとも一部を地下に形成する。これにより、屋根の下の地盤を掘り下げない場合と比較して、支持体の支持高さを低くすることができる。したがって、低所で屋根を施工することができるため、屋根の施工性が向上する。
【００１５】
請求項３に記載の構造物の施工方法は、傾斜地面に沿って屋根を構築する屋根構築工程と、前記屋根の傾斜方向の上端側を回転中心として該屋根の傾斜方向の下端側を上方へ移動させ、該下端側を支持体で支持する屋根建て起こし工程と、前記支持体で前記屋根の下端側を支持しながら該屋根の下の地盤を掘り下げて内部空間を形成する内部空間形成工程と、を備える。
【００１６】
請求項３に係る構造物の施工方法によれば、屋根構築工程において、傾斜地面に沿って屋根を構築する。つまり、本発明では、低所で屋根を施工する。したがって、屋根の施工性が向上する。
【００１７】
次に、屋根建て起こし工程において、屋根の傾斜方向の上端側を回転中心として屋根の傾斜方向の下端側を上方へ移動させ、当該下端側を支持体で支持する。次に、内部空間形成工程において、支持体で屋根の下端側を支持しながら屋根の下の地盤を掘り下げて内部空間を形成する。
【００１８】
このように本発明では、屋根建て起こし工程において、屋根の傾斜方向の上端側を回転中心として屋根の傾斜方向の下端側を上方へ移動させることにより、屋根の傾斜方向の下端側と傾斜地面との間に内部空間が形成される。そのため、内部空間形成工程において、屋根の下の地盤の掘削量を減らすことができる。したがって、施工性が向上する。
【発明の効果】
【００１９】
以上説明したように、本発明に係る構造物の施工方法によれば、屋根の施工性を向上することができる。
【図面の簡単な説明】
【００２０】
【図１】（Ａ）〜（Ｄ）は、本発明の第１実施形態に係る構造物の施工方法を説明する断面図である。
【図２】（Ａ）〜（Ｄ）は、本発明の第２実施形態に係る構造物の施工方法を説明する断面図である。
【図３】（Ａ）〜（Ｃ）は、本発明の第３実施形態に係る構造物の施工方法を説明する断面図である。
【図４】（Ａ）〜（Ｅ）は、本発明の第４実施形態に係る構造物の施工方法を説明する断面図である。
【図５】本発明の第１実施形態に係る構造物の施工方法の変形例を説明する断面図である。
【発明を実施するための形態】
【００２１】
以下、図面を参照しながら本発明の実施形態に係る構造物の施工方法について説明する。なお、以下では、一例として、構造物としての競技場の施工方法について説明する。
【００２２】
はじめに、第１実施形態について説明する。
【００２３】
図１（Ａ）に示されるように、先ず、支持体構築工程において、競技場１０の完成後（竣工後）に土圧を負担しない杭２０を地盤１２に構築する。
【００２４】
具体的には、構造物としての競技場１０の外周部において、屋根３０（図１（Ｂ）参照）を構成する屋根梁３２の材軸方向両側をそれぞれ支持する複数の杭２０を地盤１２に形成する。この際、杭２０の頭部２０Ａを地面１２Ａから突出させておく。なお、本実施形態では、地面１２Ａが平坦面とされている。また、屋根梁３２がトラス梁とされている。
【００２５】
支持体の一例としての杭２０には、例えば、コンクリート杭や鋼製杭等の種々の杭を用いることができる。また、支持体は、杭２０（杭基礎）に限らない。支持体は、競技場１０の完成後に土圧を負圧しない（設計上負担しない）ものであれば良く、例えば、独立基礎や布基礎、後述する柱２４（図２（Ｂ）参照）等であっても良い。なお、支持体には、競技場（構造物）１０の完成後に土圧を負圧する土留壁は含まれない。
【００２６】
次に、図１（Ｂ）に示されるように、屋根構築工程において、競技場１０の両側（外周）に位置する杭２０の頭部２０Ａ間に屋根３０を架設する。具体的には、競技場１０の両側に位置する杭２０の頭部２０Ａ間に屋根３０を構成する屋根梁３２をそれぞれ架設し、これらの屋根梁３２上に折板等の屋根材（図示省略）を敷設する。この際、屋根梁３２及び屋根材等は、地面１２Ａ付近の低所において地組みする。
【００２７】
なお、本実施形態では、杭２０の頭部２０Ａを地面１２Ａから突出させたが、これに限らない。例えば、杭２０の頭部２０Ａを地面１２Ａから突出させずに、当該頭部２０Ａ上にフーチング等の基礎を形成し、当該基礎に屋根梁３２を架設しても良い。
【００２８】
次に、図１（Ｃ）に示されるように、内部空間形成工程において、複数の杭２０で屋根３０を支持しながら、当該屋根３０の下の地盤１２を凹状に掘り下げて内部空間１４を形成する。つまり、複数の杭２０で屋根３０を支持しながら、当該屋根３０の下の土砂を取り除いて内部空間１４を形成する。この際、屋根３０の下の地盤１２は、例えば、屋根３０の外周部から掘削排土しても良いし、屋根３０を部分的に開口しておき、この開口から掘削排土しても良い。
【００２９】
なお、地盤１２の掘削底面１２Ｂは平坦面とし、この掘削底面１２Ｂ上に後述するフィールド４０Ａ（図１（Ｄ）参照）を形成する。さらに、地盤１２の掘削底面１２Ｂを囲む掘削側面１２Ｃは、オープンカット工法（法付けオープンカット工法）等により傾斜面（法面）とし、この掘削側面１２Ｃ上に後述する観客席４４（図１（Ｄ）参照）を構築する。
【００３０】
次に、図１（Ｄ）に示されるように、観客席構築工程において、掘削底面１２Ｂ及び掘削側面１２Ｃを型枠（地山型枠）として使用しながら、これらの掘削底面１２Ｂ及び掘削側面１２Ｃに沿ってコンクリート板４０，４２をそれぞれ形成する。そして、コンクリート板４０上には、例えば、図示しない天然芝や人工芝を敷設し、各種の競技やイベントを行うフィールド４０Ａを形成する。一方、フィールド４０Ａの外周部に形成されたコンクリート板４２上には、例えば、階段状の観客席４４を構築する。
【００３１】
次に、第１実施形態の効果について説明する。
【００３２】
本実施形態に係る構造物の施工方法によれば、屋根構築工程において、競技場１０の外周部に位置する杭２０間に屋根３０を架設する。次に、内部空間形成工程において、複数の杭２０で屋根３０を支持しながら屋根３０の下の地盤１２を掘り下げて内部空間１４を形成する。
【００３３】
ここで、屋根３０の下の地盤１２を掘り下げない場合は、地上に内部空間１４を形成することになるため、内部空間１４の必要高さに応じて屋根３０を支持する支持体の支持高さが高くなる。
【００３４】
これに対して本実施形態では、屋根３０の下の地盤１２を掘り下げて地下に内部空間１４の少なくとも一部を形成する。これにより、地上で屋根３０を支持する杭２０の支持高さを低くすることができるため、地面１２Ａ付近の低所において屋根３０を地組みすることができる。したがって、屋根３０の施工性が向上する。
【００３５】
また、屋根３０を構築した後に、屋根３０の下の地盤１２を掘り下げて内部空間１４を形成するため、天候（例えば、雨、雪、強風等）に左右されずに内部空間１４を形成することができる。したがって、施工性の向上、工期の短縮化を図ることができる。
【００３６】
さらに、地盤１２の掘削側面１２Ｃを傾斜面とすることにより、掘削側面１２Ｃの崩落等が抑制される。したがって、掘削側面１２Ｃの崩落等を抑制する土留壁等を不要にすることができる。
【００３７】
しかも、本実施形態では、傾斜した掘削側面１２Ｃを利用して観客席４４を構築するため、観客席４４用の躯体工事等が少なくなる。したがって、観客席４４の施工性が向上する。
【００３８】
また、屋根３０を支持する杭２０は、競技場１０の完成後に土圧を負担しない。したがって、例えば、競技場１０完成後に土圧を負担する土留壁で屋根３０を支持する場合と比較して、杭２０の施工性が向上する。
【００３９】
さらに、本実施形態では、屋根３０の下の地盤１２を掘り下げて内部空間１４を形成するため、競技場１０の解体が容易となる。すなわち、競技場１０の解体時には、例えば、破砕機等によって観客席４４、コンクリート板４０，４２等を破砕して撤去する。次に、内部空間１４を締固めながら埋め戻す。その後、屋根３０及び杭２０を解体し、撤去する。
【００４０】
このように内部空間１４を埋め戻すことにより、地面１２Ａ付近の低所において屋根３０を解体することができる。したがって、屋根３０の解体作業の作業効率が向上する。さらに、観客席４４や杭２０等を地中に残置可能であれば、これらの観客席４４及び杭２０等の解体撤去作業が不要になるため、競技場１０の解体がさらに容易となる。
【００４１】
特に、本実施形態は、仮設の競技場１０に適している。つまり、競技場１０が仮設の場合は、地盤１２の掘削土を競技場１０の近くの仮置き場に仮置きしておく。そして、競技場１０を解体する際には、仮置き場に仮置きした掘削土で内部空間１４を埋め戻す。これにより、掘削土の処分等が不要になると共に、掘削土の運搬コストを削減することができる。
【００４２】
次に、第２実施形態について説明する。なお、第１実施形態と同じ構成のものは同符号を付して説明を省略する。
【００４３】
上記第１実施形態では、屋根構築工程において、支持体としての杭２０の上に屋根３０を架設したが、第２実施形態では、図２（Ａ）〜図２（Ｄ）に示されるように、屋根構築工程において、支持体としての柱２４の上に屋根３０を架設する。
【００４４】
すなわち、図２（Ａ）に示されるように、先ず、支持体構築工程において、競技場５０の完成後に土圧を負担しない柱２４を地盤１２に構築する。具体的には、競技場５０の外周部において、地盤１２に複数の杭２２を形成すると共に当該杭２２上に屋根梁３２の材軸方向両側をそれぞれ支持する柱２４を立てる。
【００４５】
なお、本実施形態では、杭２０の上にフーチング２６を介して柱２４を立てているが、これらの杭２０やフーチング２６は適宜省略可能である。また、柱２４は、例えば、鉄骨造でも良いし、鉄筋コンクリート造でも良い。また、本実施形態では、地面１２Ａが平坦面とされている。
【００４６】
次に、図２（Ｂ）に示されるように、屋根構築工程において、競技場５０の両側に位置する柱２４間に屋根３０を架設し、当該屋根３０の下に内部空間１４を形成する。この際、屋根３０を構成する屋根梁３２の中間部は、例えば、仮設支柱（ベント）３４で支持しても良い。
【００４７】
次に、図２（Ｃ）に示されるように、内部空間形成工程において、複数の柱２４で屋根３０を支持しながら、当該屋根３０の下の地盤１２を凹状に掘り下げて地下に内部空間１４の一部を形成する。つまり、複数の柱２４で屋根３０を支持しながら、当該屋根３０の下の土砂を取り除いて内部空間１４を拡大する。なお、仮設支柱２４を設置した場合は、仮設支柱２４を適宜撤去する。
【００４８】
この際、地盤１２の掘削底面１２Ｂは平坦面とすると共に、掘削側面１２Ｃは傾斜面（法面）とする。さらに、掘削土は、地盤１２を凹状に掘り下げた掘削凹部の外周部の地面１２Ａ上に盛り上げ、盛土部１６を形成する。この盛土部１６における内部空間１４側（掘削凹部側）の盛土側面１６Ａは、掘削側面１２Ｃと連続する傾斜面とする。なお、盛土側面１６Ａと掘削側面１２Ｃとの間には、段差を形成しても良い。
【００４９】
次に、図２（Ｄ）に示されるように、観客席構築工程において、掘削底面１２Ｂ、掘削側面１２Ｃ、及び盛土側面１６Ａを型枠（地山型枠）として使用しながら、これらの掘削底面１２Ｂ、掘削側面１２Ｃ、及び盛土側面１６Ａに沿ってコンクリート板４０，４２をそれぞれ形成する。そして、フィールド４０Ａの外周部に形成されたコンクリート板４２上に観客席４４を構築する。
【００５０】
次に、第２実施形態の効果について説明する。
【００５１】
本実施形態に係る構造物の施工方法によれば、屋根構築工程において、競技場５０の外周部に位置する柱２４間に屋根３０を架設する。次に、内部空間形成工程において、複数の柱２４で屋根３０を支持しながら屋根３０の下の地盤１２を掘り下げて内部空間１４を形成する。
【００５２】
このように屋根３０の下の地盤１２を掘り下げて地下に内部空間１４の一部を形成することにより、地下に内部空間１４を形成しない場合と比較して、屋根３０を支持する柱２４や仮設支柱２４の支持高さＨ（図２（Ｄ）参照）を低くすることができる。したがって、低所において屋根３０を組み立てる（地組み）ことができるため、屋根３０の施工性が向上する。
【００５３】
また、本実施形態では、地盤１２を凹状に掘り下げた掘削凹部の外周部の地面１２Ａ上に掘削土を盛り上げて盛土部１６を形成すると共に、当該盛土部１６の盛土側面１６Ａを掘削側面１２Ｃと連続する傾斜面とする。そして、傾斜した掘削側面１２Ｃ及び盛土側面１６Ａを利用して観客席４４を構築する。これにより、観客席４４用の躯体工事等が少なくなるため、観客席４４の施工性が向上する。
【００５４】
また、地盤１２の掘削土によって盛土部１６を形成するため、掘削土の運搬コストを削減することができる。さらに、競技場５０を解体する際には、盛土部１６によって内部空間１４（掘削凹部）を埋め戻すことができる。したがって、掘削土の運搬コストをさらに削減することができる。
【００５５】
次に、第３実施形態について説明する。なお、第１実施形態と同じ構成のものは同符号を付して説明を省略する。
【００５６】
上記第１，第２実施形態では、内部空間形成工程において、屋根３０の下の地盤１２を掘り下げて地下に内部空間１４を形成したが、第３実施形態では、図３（Ａ）〜図３（Ｃ）に示されるように屋根３０の下の盛土（土砂）６２を取り除いて内部空間６６を形成する。
【００５７】
具体的には、図３（Ａ）に示されるように、先ず、盛土工程において、平坦な地面１２Ａ上に土砂を締固めながら盛り上げ、盛土（土台）６２を形成する。
【００５８】
次に、図３（Ｂ）に示されるように、支持体構築工程において、盛土６２の両側に、競技場６０の完成後に土圧を負担しない支持体の一例としての柱６４を立てる。なお、支持体構築工程と前述した盛土工程とは順不同である。また、盛土工程及び支持体構築工程は、並行して行っても良い。次に、屋根構築工程において、屋根３０を盛土６２上で組み立てる（地組みする）と共に、盛土６２の両側に立てられた柱６４間に架設する。
【００５９】
次に、図３（Ｃ）に示されるように、内部空間形成工程において、複数の柱６４で屋根３０を支持しながら、当該屋根３０の下の盛土（土砂）６２を取り除き、地面１２Ａを露出させる。これにより、屋根３０の下に内部空間６６を形成する。
【００６０】
次に、観客席構築工程において、露出した地面１２Ａに沿ってコンクリート板６８を形成すると共に、コンクリート板６８上にフィールド６８Ａを形成する。また、フィールド６８Ａの外周部に観客席７０を構築する。
【００６１】
なお、本実施形態では、柱６４と観客席７０とが一体化されているが、柱６４と観客席７０とは別体にしても良い。また、内部空間形成工程において、屋根３０の下の地盤１２を掘り下げて地下に内部空間６６の一部を形成しても良い。
【００６２】
次に、第３実施形態の効果について説明する。
【００６３】
本実施形態に係る構造物の施工方法によれば、盛土工程において、地面１２Ａ上に盛土６２を形成する。そして、屋根構築工程において、盛土６２上で屋根３０を地組みする。したがって、屋根３０を低所において施工することができるため、屋根３０の施工性が向上する。
【００６４】
また、本実施形態は、掘削を伴う他の工事現場が近くにある場合に特に有効であり、このような工事現場で発生した掘削土を利用して盛土６２を形成することにより、盛土６２用の土砂の運搬コストを削減することができる。
【００６５】
次に、第４実施形態について説明する。なお、第１実施形態と同じ構成のものは同符号を付して説明を省略する。
【００６６】
上記第１〜第３実施形態では、平坦な地面１２Ａ上で屋根３０を構築したが、第４実施形態では、図４（Ａ）〜図４（Ｅ）に示されるように、傾斜した傾斜地面８２Ａ上で屋根３０を構築する。
【００６７】
具体的には、図４（Ａ）に示されるように、土留壁構築工程において、地盤８２に土留壁８４を構築する。この土留壁８４は、例えば、地中連続壁工法等によって構築する。
【００６８】
次に、屋根構築工程において、傾斜地面８２Ａに沿って屋根３０を構成する複数の屋根梁３２を構築すると共に、これらの屋根梁３２上に屋根材（図示省略）を敷設する。つまり、傾斜地面８２Ａ付近の低所において屋根３０を地組みする。この際、屋根３０の傾斜方向（矢印Ｓ方向）の上端部３０Ａは、土留壁８４の上に設置する。一方、屋根３０の傾斜方向の下端部３０Ｂの下には、図示しないジャッキ及びジャッキを支持する土台８６等を予め設置しておく。
【００６９】
次に、図４（Ｂ）に示されるように、屋根建て起こし工程において、図示しないジャッキにより屋根３０の下端部３０Ｂを押し上げ、屋根３０の上端部３０Ａを回転中心として屋根３０を回転させる（矢印Ｒ方向）。これにより、傾斜した屋根３０を略水平にし、その下に内部空間９２の一部を形成する。この状態で、図４（Ｃ）に示されるように、屋根３０の下端部３０Ｂの下側に支持体としての柱８８Ａを形成し、当該柱８８Ａで屋根３０の下端部３０Ｂを支持する。また、屋根３０の傾斜方向の下端側には、観客席９０Ａを構築する。
【００７０】
なお、本実施形態では、柱８８Ａと観客席９０Ａとが一体化されているが、柱８８Ａと観客席９０Ａとは別体にしても良い。また、柱８８Ａは、支持体の一例である。
【００７１】
また、本実施形態では、図示しないジャッキにより、屋根３０の下端部３０Ｂを押し上げたが、これに限らない。例えば、クレーン等の揚重機によって屋根３０の下端部３０Ｂを吊り上げ、屋根３０の上端部３０Ａを回転中心として回転させても良い。また、屋根３０の回転中心は、屋根３０の上端部３０Ａに限らず、屋根３０の傾斜方向の上端側であれば良い。また、屋根３０の下端部３０Ｂに限らず、屋根３０の傾斜方向の下端側を上方へ移動させても良い。
【００７２】
次に、図４（Ｄ）に示されるように、内部空間形成工程において、柱８８Ａで屋根３０の下端部３０Ｂを支持しながら屋根３０の下の地盤８２を掘り下げて地下に内部空間９２の一部を形成する。つまり、柱８８Ａで屋根３０の下端部３０Ｂを支持しながら屋根３０の下の地盤８２を取り除いて（切土して）内部空間９２を拡大する。この際、屋根３０の上端側では、土留壁８４の内壁面８４Ａに沿って地盤８２を掘削し、当該内壁面８４Ａを露出させる。
【００７３】
次に、図４（Ｅ）に示されるように、観客席構築工程において、掘削底面８２Ｂを型枠（地山型枠）として使用しながら、当該掘削底面８２Ｂに沿ってコンクリート板９４を形成すると共に、コンクリート板９４上にフィール９４Ａを形成する。また、屋根３０の上端部３０Ａを支持する柱８８Ｂを形成すると共に、当該屋根３０の上端側に観客席９０Ｂを構築する。
【００７４】
なお、コンクリート板９４は、適宜省略可能である。また、柱８８Ｂと観客席９０Ｂとは一体としても良いし、別体としても良い。また、内部空間形成工程において屋根３０の下の地盤８２を掘削する際に、第１実施形態のように屋根３０の上端側の掘削側面を傾斜面（図１（Ｃ）の掘削側面１２Ｃ参照）としても良い。この場合、土留壁８４が不要になるため、杭２０（図１（Ｃ）参照）等の支持体で屋根３０の上端側を支持することができる。
【００７５】
次に、第４実施形態の効果について説明する。
【００７６】
本実施形態に係る構造物の施工方法によれば、屋根構築工程において、傾斜地面８２Ａに沿って屋根３０を構築する。つまり、本実施形態では、傾斜地面８２Ａ付近の低所において屋根３０を地組みする。したがって、屋根３０の施工性が向上する。
【００７７】
次に、屋根建て起こし工程において、屋根３０の傾斜方向の上端部３０Ａを回転中心として屋根３０の傾斜方向の下端部３０Ｂを上方へ移動させ、当該下端部３０Ｂを柱８８Ａで支持する。これにより、屋根３０の傾斜方向の下端部３０Ｂと傾斜地面８２Ａとの間に内部空間９２の一部が形成される。そのため、内部空間形成工程において、屋根３０の下の地盤８２の掘削量を減らすことができる。したがって、施工性が向上する。
【００７８】
また、土留壁構築工程において、地盤８２に土留壁８４を構築することにより、内部空間形成工程において、屋根３０の下の地盤８２を掘削したときに、屋根３０の傾斜方向の上端側の崩落等が抑制される。したがって、観客席構築工程において、屋根３０の傾斜方向の上端側に観客席９０Ｂを構築し易くなる。
【００７９】
さらに、本実施形態では、屋根３０の下の地盤８２を掘り下げて地下に内部空間９２の一部を形成するため、第２実施形態と同様に、競技場８０の解体が容易となる。
【００８０】
次に、上記第１〜第４実施形態の変形例について説明する。なお、以下では、第１実施形態を例に各種の変形例について説明するが、これらの変形例は第２〜第４実施形態にも適宜適用可能である。
【００８１】
上記第１実施形態では、地盤１２の掘削底面１２Ｂ及び掘削側面１２Ｃにコンクリート板４０，４２を構築した例を示したが、これに限らない。例えば、コンクリート板４０を省略し、地盤１２の掘削底面１２Ｂに天然芝や人工芝を敷設してフィールドを形成しても良いし、コンクリート板４２を省略し、地盤１２の掘削側面１２Ｃに天然芝や人工芝を敷設して観客席を形成しても良い。この場合、掘削側面１２Ｃに簡易な座席等を設置しても良い。
【００８２】
また、上記第１実施形態では、掘削側面１２Ｃを傾斜面（法面）とした例を示したが、これに限らない。例えば、図５に示されるように、支持体としての杭２０よりも内側（屋根３０の中央部側）に土留壁９６をそれぞれ構築し、これらの土留壁９６の内側の地盤１２を掘り下げて内部空間１４を形成しても良い。これにより、第１実施形態のように掘削側面１２Ｃ（図１（Ｃ）参照）を傾斜させる場合と比較して、内部空間１４を広げることができる。なお、観客席９８等は、土留壁９６の内側に適宜構築すれば良い。
【００８３】
また、屋根３０の構造は、上記したものに限らず、例えば、膜屋根や開閉屋根等でもあっても良い。
【００８４】
さらに、上記第１実施形態は、競技場１０に限らず、例えば、コンサートホールや、各種イベント等を行う多目的ホール、体育館等の構造物にも適宜適用可能である。
【００８５】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００８６】
１０    競技場（構造物）
１２    地盤
１４    内部空間
２０    杭（支持体）
２４    柱（支持体）
３０    屋根
３０Ａ  上端部（屋根の傾斜方向の上端側）
３０Ｂ  下端部（屋根の傾斜方向の下端側）
５０    競技場（構造物）
６０    競技場（構造物）
６２    盛土（屋根の下の土砂）
６４    柱（支持体）
６６    内部空間
８０    競技場（構造物）
８２    地盤
８８Ａ  柱（支持体）
９２    内部空間
Ｓ      屋根の傾斜方向
【図１】
2015218442.tif 000003
【図２】
2015218442.tif 000004
【図３】
2015218442.tif 000005
【図４】
2015218442.tif 000006
【図５】
2015218442.tif 000007